(57)【要約】      （修正有）【課題】異物の侵入を防ぐとともにより効果的に放熱することができるパネル計器を提供する。【解決手段】開口が形成されたパネルに固定されるパネル計器１であって、直方体状に形成され、内部に回路基板を収容した筐体１１と、この筐体１１の一つの面に設けられたインターフェース部と、筐体の一つの面に隣接する４つの側面のうち少なくとも１つに取り付けられたヒートシンク１３とを備え、インターフェース部の縁部は、筐体１１の側面よりも突出し、ヒートシンク１３をインターフェース部の縁部に向かって押圧する押圧機構をさらに備える。【選択図】図１
2016024061.tif 000002
【特許請求の範囲】
【請求項１】
開口が形成されたパネルに固定されるパネル計器であって、
直方体状に形成され、内部に回路基板を収容した筐体と、
この筐体の一つの面に設けられたインターフェース部と、
前記筐体の前記一つの面に隣接する４つの側面のうち少なくとも１つに取り付けられたヒートシンクと
を備えたことを特徴とするパネル計器。
【請求項２】
請求項１記載のパネル計器において、
前記インターフェース部の縁部は、前記筐体の側面よりも突出し、
前記ヒートシンクを前記インターフェース部の縁部に向かって押圧する押圧機構をさらに備える
ことを特徴とするパネル計器。
【発明の詳細な説明】
【技術分野】
【０００１】
本発明は、パネル計器に関するものである。
【背景技術】
【０００２】
従来より、パネルに組み込んで使用され、各種機器を制御する例えばシーケンサ等の制御装置（以下、「パネル計器」と言う。）が知られている。このパネル計器の一例を図７に示す。
【０００３】
図７に示すパネル計器１００は、回路基板等を内蔵した筐体１０１を備えており、この筐体１０１の一つの面には、温度、圧力、流量等の所定のパラメータを設定する操作部およびシーケンサが制御する制御機器の状態等を表示する表示部を備えたインターフェース部１０２が設けられている。このようなパネル計器は、そのインターフェース部１０２がパネル２００の前面から露出するように、パネル２００に固定される。
【０００４】
近年、演算負荷の増大や小型化などにより、単位面積当たりの発熱量が増加する傾向がある。このため、筐体１０１内部の熱を外部に放出するために、筐体１０１の上面にも放熱孔１０３を設けていた。ところが、単に筐体１０１上面に放熱孔１０３を設けると、筐体１０１の周囲の埃や近隣のパネル計器からの配線くずなどの異物が放熱孔１０３から筐体１０１内部に入り、電気的短絡を引き起こしてしまう恐れがあった。
そこで、放熱孔１０３を形成した上面に蓋を設けて、筐体内部への異物の侵入を防ぐことが提案されている（例えば、特許文献１参照。）。
【先行技術文献】
【特許文献】
【０００５】
【特許文献１】特開平０９−２２９７２６号公報
【発明の概要】
【発明が解決しようとする課題】
【０００６】
しかしながら、蓋を設けた場合、筐体内部への異物の侵入を防ぐことはできるものの、その蓋によって放熱孔から放出されてきた熱の移動が阻害されるので、放熱性能が低いものとなっていた。
【０００７】
そこで、本発明は上述したような課題を解決するためになされたものであり、異物の侵入を防ぐとともに放熱することができるパネル計器を提供することを目的とする。
【課題を解決するための手段】
【０００８】
上述したような課題を解決するために、本発明に係るパネル計器は、開口が形成されたパネルに固定されるパネル計器であって、直方体状に形成され、内部に回路基板を収容した筐体と、この筐体の一つの面に設けられたインターフェース部と、筐体の一つの面に隣接する４つの側面のうち少なくとも１つに取り付けられたヒートシンクとを備えたことを特徴とするものである。
【０００９】
上記パネル計器において、インターフェース部の縁部は、筐体の側面よりも突出し、ヒートシンクをインターフェース部の縁部に向かって押圧する押圧機構をさらに備えるようにしてもよい。
【発明の効果】
【００１０】
本発明によれば、筐体の側面にヒートシンクを設けることにより、異物の侵入を防ぐとともに放熱することができる。
【図面の簡単な説明】
【００１１】
【図１】図１は、本発明の実施の形態に係るパネル計器の構成を示す斜視図である。
【図２】図２は、本発明の実施の形態に係るパネル計器の構成を示す側面図である。
【図３】図３は、本発明の実施の形態に係るパネル計器の構成を示す分解斜視図である。
【図４】図４は、本発明の実施の形態に係るパネル計器の要部断面図である。
【図５】図５は、本発明の実施の形態に係るパネル計器の変形例を示す斜視図である。
【図６】図６は、本発明の実施の形態に係るパネル計器の変形例を示す斜視図である。
【図７】図７は、従来のパネル計器を示す斜視図である。
【発明を実施するための形態】
【００１２】
以下、図面を参照して本発明の実施の形態について詳細に説明する。
【００１３】
＜パネル計器の構成＞
図１〜図３に示すように、本実施の形態に係るパネル計器１は、直方体状の筐体１１と、この筐体１１の前面に取り付けられたインターフェース部１２と、筐体１１の上面および下面に取り付けられたヒートシンク１３とを備えている。  
このようなパネル計器１は、パネル２の平面視略矩形の開口２１に固定されるものである。
【００１４】
筐体１１は、例えば樹脂などからなり、前面が開口した略直方体状の部材である。この筐体１１内部には、回路基板（図示せず）が収容されている。この回路基板は、インターフェース部１２と電気的に接続されたプリント基板である。この回路基板には、インターフェース部１２から入力される情報に基づいて、温度、圧力、流量等の設定動作や測定動作を行うとともに、これらの動作の内容や結果をインターフェース部１２に表示させる表示動作を行わせる電子回路（図示せず）などが実装されている。
【００１５】
このような筐体１１の上側壁には、ヒートシンク１３を固定するための平面視略矩形の孔１１ａが形成されている。同様に、筐体１１の下側壁にも、ヒートシンク１３を固定するための平面視略矩形の孔（図示せず）が形成されている。
なお、便宜上、筐体１１の「前面」と対向する壁を「背壁」、「前面」を正面視した状態において、この「前面」と隣接する４つの側壁のうち、鉛直方向に沿った右側の側壁を「右側壁」、同じく左側の側壁を「左側壁」、水平方向に沿った上方の側壁を「上側壁」、同じく下方の側壁を「下側壁」という。
【００１６】
インターフェース部１２は、各種情報を表示したり、ユーザの操作入力を検出したりするインターフェース装置であり、例えば、ＬＣＤ（Liquid Crystal Display）パネル等の表示装置とタッチパッド等の位置入力装置を備えたタッチパネルからなる。
このようなインターフェース部１２は、平面視略矩形の板状に形成されて、筐体１１の前面に固定される。このインターフェース部１２の平面形状は、筐体１１の前面の平面形状およびパネル２の開口２１の平面形状よりも形成されている。したがって、インターフェース部１２の縁部は、筐体１１の側面から突出した状態になる。また、パネル２の開口２１に筐体１１を背壁側から挿入すると、インターフェース部１２の縁部がパネル２の開口２１の周囲に当接することとなる。
【００１７】
ヒートシンク１３は、本体１４と、この本体１４と筐体１１とを結合する結合部材１５と、本体１４と結合部材１５とを連結するねじ１６とを備えている。
【００１８】
本体１４は、図３，図４に示すように、平面視略矩形の板状の基部１４１と、この基部１４１の長手方向における一方の端部１４１ａ側に形成された複数のフィン１４２と、基部１４１の長手方向における他方の端部１４１ｂ側に形成された壁部１４３とを備えている。このような本体１４は、例えばアルミニウムなど、熱伝導性の高い材料で形成されている。
【００１９】
ここで、フィン１４２は、それぞれ平面視略矩形の板状の部材からなる。このようなフィン１４２は、基部１４１上面における一方の短辺から壁部１４３までの領域に、基部１４１の短辺に平行で、かつ、長辺の方向に互いに所定間隔離間して立設されている。
【００２０】
壁部１４３は、基部１４１上面における他方の短辺およびこの短辺に隣接する両長辺の縁部から立設された板状の部材であり、平面視コの字状に形成されている。基部１４１の短辺から立設された部分には、雌ねじからなるねじ孔１４４が形成されている。
また、基部１４１の壁部１４３に囲まれた領域には、孔１４５が形成されている。
【００２１】
結合部材１５は、断面略コの字状に折り曲げられた板状の部材である。結合部材１５の長手方向における一端部１５１は、他端部１５２よりも長く形成されており、その他端部１５２の先端１５３は本体１４の孔１４５に挿通できるよう細く形成されている。
また、結合部材１５の短手方向の幅は、先端１５３を本体１４の孔１４５に挿通させたときに、結合部材１５が壁部１４３内に収容されるよう、壁部１４３の対向する部分の間隔よりも短くされている。
また、結合部材１５の他端部１５２には、雌ねじからなるねじ孔１５４が形成されている。
【００２２】
ねじ１６は、雄ねじからなり、本体１４の壁部１４３に形成されたねじ孔１４４と、結合部材１５のねじ孔１５４と螺着する。
【００２３】
＜パネル計器の固定法法＞
次に、図１〜図４を参照して、本実施の形態に係るパネル計器１のパネル２への固定法法について説明する。
【００２４】
まず、筐体１１の前面にインターフェース部１２を固定したパネル計器１を用意し、その筐体１１の背壁をパネル２の前面側から開口２１に挿入する。
【００２５】
筐体１１をパネル２の開口に挿入した後、パネル２の後面側に位置する筐体１１にヒートシンク１３を取り付ける。
【００２６】
具体的には、まず、ヒートシンク１３の本体１４を筐体１１の上側壁上の略中央部に載置し、本体１４の基部１４１における一方の端部１４１ａがパネル２の背面に当接した状態とする。これにより、筐体１１の上側壁側からヒートシンク１３を見たときに、本体１４の孔１４５から筐体１１の孔１１ａを含む上側壁が露出した状態とする。この状態で、結合部材１５の一端部１５１を、本体１４の孔１４５を介して筐体１１の孔１１ａに挿通するとともに、結合部材１５の他端部１５２を、本体１４の上面に当接させ、ねじ孔１５４が壁部１４３に形成されねじ孔１４４と対向した状態とする。続いて、ねじ１６をねじ孔１４４からねじ孔１５４へと螺着し、壁部１４３と結合部材１５とが近づく方向にねじ１６を締め付ける。すると、図４に示すように、結合部材１５が壁部１４３側へと移動し、一端部１５１が筐体１１の孔１１ａの筐体１１の背側壁の縁部に当接する。さらに締め付けると、結合部材１５、ねじ１６および本体１４を介して、本体１４の基部１４１における一方の端部１４１ａがパネル２の背面を押圧することとなる。これにより、パネル２の開口２１を形成する筐体１１の上側壁近傍の縁部が、インターフェース部１２の縁部と本体１４とで挟持される。したがって、筐体１１の孔１１ａ、壁部１４３、結合部材１５およびねじ１６は、押圧機構として機能することとなる。
【００２７】
同様の方法により、筐体１１の下側壁にもヒートシンク１３を取り付ける。これにより、パネル２の開口２１を形成する筐体１１の下側壁近傍の縁部が、インターフェース部１２の縁部と本体１４とで挟持される。
【００２８】
このように、パネル２の開口２１を形成する筐体１１の上側壁近傍および下側壁近傍の縁部が、インターフェース部１２の縁部と本体１４とで挟持されるので、結果として、筐体１１がパネル２に固定されることとなる。
なお、筐体１１の上側壁と下側壁にヒートシンク１３を取り付ける順番については、適宜自由に設定することができることは言うまでもない。
【００２９】
筐体１１の上側壁および下側壁にヒートシンク１３を設けることにより、筐体１１内部の回路基板等で発生した熱は、筐体１１に形成された孔１１ａを介してヒートシンク１３に伝導され、このヒートシンク１３から筐体１１外部に放熱される。これにより、筐体１１の上側壁に放熱用の孔を設けなくても筐体１１内部の熱を外部に放熱できるので、その放熱用の孔を形成することによる筐体１１内部への異物の侵入を防ぐことができる。
【００３０】
以上説明したように、本実施の形態によれば、ヒートシンク１３を設けることにより、異物の侵入を防ぐとともに放熱することができる。
【００３１】
なお、本実施の形態では、ヒートシンク１３を筐体１１の上側壁および下側壁に設けた場合を例に説明したが、ヒートシンク１３を設ける場所および数量は、筐体１１の側壁に設けるのであれば、適宜自由に設定することができる。例えば、図５に示すように、筐体１１の右側壁および左側壁にヒートシンク１３’を設けるようにしてもよい。また、筐体１１の全ての側壁に設けるようにしてもよい。さらに、筐体１１の上側壁のみまたは下側壁のみに設けるようにしてもよい。
【００３２】
また、本実施の形態では、ヒートシンク１３を筐体１１の上側壁の一部を覆う程度の大きさに形成する場合を例に説明したが、ヒートシンク１３の大きさについても適宜自由に設定することができる。例えば、図６に示すように、ヒートシンク１３”が筐体１１の上側壁全体を覆うようにしてもよい。これにより、より効果的に放熱することができる。
なお、ヒートシンクの大きさを変更した場合であっても、ヒートシンクを設ける場所は、筐体１１の側壁であれば適宜自由に設定することができる。
【００３３】
また、本実施の形態では、本体１４を筐体１１の上側壁に載置し、結合部材１５を筐体１１の孔１１ａに挿通した後、ねじ１６をねじ孔１４４とねじ孔１５４に螺着するという手順でヒートシンク１３を筐体１１に固定する場合を例に説明したが、ヒートシンク１３を筐体１１に固定する手順はこれに限定されず、適宜自由に設定することができる。例えば、予めねじ１６により本体１４に結合部材１５を連結した状態した後、結合部材１５を筐体１１の孔１１ａに挿通してねじ１６を締め付けることにより、ヒートシンク１３を筐体１１に固定するようにしてもよい。
【産業上の利用可能性】
【００３４】
本発明は、例えばパネル計器など、板状の部材に固定する各種装置に適用することができる。
【符号の説明】
【００３５】
１…パネル計器、２…パネル、１１…筐体、１１ａ…孔、１２…インターフェース部、１３…ヒートシンク、１４…本体、１５…結合部材、１６…ねじ、２１…開口、１４１…基部、１４１，１４１ｂ…端部、１４２…フィン、１４３…壁部、１４４…ねじ孔、１４５…孔、１５１…一端部、１５２…他端部、１５３…先端、１５４…ねじ孔。
【図１】
2016024061.tif 000003
【図２】
2016024061.tif 000004
【図３】
2016024061.tif 000005
【図４】
2016024061.tif 000006
【図５】
2016024061.tif 000007
【図６】
2016024061.tif 000008
【図７】
2016024061.tif 000009